(57)【要約】  本発明は、排出プレート及びプッシュ−プッシュ式排出機構を備えるモジュールカード排出機構を開示し、本排出機構では、プッシュ−プッシュ式排出機構は、基本構成要素として、ハウジング、プッシングロッド、回転子、及びエンドキャップを含む。
2007521626.tif 000002
【特許請求の範囲】
【請求項１】
モジュールカードコネクタアセンブリに接続され、モジュールカードコネクタアセンブリのカード移動方向に沿ってスライドすることができる排出プレート、及び
モジュールカードコネクタアセンブリに接続されるプッシュ−プッシュ式排出機構
を備えるモジュールカード排出機構であって、プッシュ−プッシュ式排出機構が：
通路を画定する内壁を有するハウジングであって、前記通路が内壁を囲むガイド部を含み、前記ガイド部が、環状方向に沿って交互に構成されたプッシュアウト式係合部及びプッシュイン式係合部を有する構成のハウジング、
通路内を軸方向に移動することができ、自由端と、スライド式且つ回転不能にガイド部に係合する案内フランジとを含むプッシングロッド、
通路内を軸方向に移動することができ、交互に構成されるプッシュアウト式係合部及びプッシュイン式係合部に、周期的且つ交互に係合する回転子、及び
弾性により回転子を圧迫するバネ
を備え、排出プレートがプッシュ−プッシュ式排出機構のプッシングロッドに機械的に接続されていることにより、排出プレートに繰り返し押圧力を掛けると、プッシングロッドの案内フランジの案内下で、回転子がプッシュアウト式係合部又はプッシュイン式係合部へと交互にスライドすることができ、これによって前記回転子が第１回転位置又は第２回転位置に回転し、この動きに応じてプッシングロッドがカード取り出し位置又はカード挿入位置に移動する、モジュールカード排出機構。
【請求項２】
プッシュアウト式係合部が、環状に配置された複数の縦長スロットを含む、請求項１記載のモジュールカード排出機構。
【請求項３】
各縦長スロットが停止壁を有するように構成されている、請求項２記載のモジュールカード排出機構。
【請求項４】
プッシュイン式係合部が、環状に配置された複数のショートスロットを含む、請求項１記載のモジュールカード排出機構。
【請求項５】
環状に構成されたガイド手段が、交互に構成されたプッシュアウト式係合部とプッシュイン式係合部との間に設けられる、請求項１記載のモジュールカード排出機構。
【請求項６】
ガイド手段が、環状方向に沿って構成される複数の案内羽根を含む、請求項５記載のモジュールカード排出機構。
【請求項７】
各案内羽根が傾斜ガイド面を有するように形成されている、請求項６記載のモジュールカード排出機構。
【請求項８】
回転子が、環状に配置された複数のリブを含む、請求項２記載のモジュールカード排出機構。
【請求項９】
ハウジングが停止肩を含む、請求項１記載のモジュールカード排出機構。
【請求項１０】
停止肩は先細り壁の形に形成され、プッシングロッドの自由端が、先細り壁に丁度収まり、先細り壁に接触して停止する形状に形成されている、請求項９記載のモジュールカード排出機構。
【請求項１１】
案内フランジが、環状に配置された複数の略Ｖ字型案内溝、及び環状に配置された複数の溝頂部を含み、前記案内溝及び前記溝頂部が交互配置されていることにより、複数の溝頂部の各々が隣接する２つの案内溝の間に位置する、請求項１記載のモジュールカード排出機構。
【請求項１２】
回転子が、環状に配置された複数の傾斜面を含むことにより、回転子が第１回転位置又は第２回転位置に位置するとき、各傾斜面が前記溝頂部の一つに結合する、請求項８記載のモジュールカード排出機構。
【請求項１３】
プッシュアウト式係合部が、環状に配置された複数の縦長スロットを含み、回転子が、各々が縦長スロットの中をスライド可能であり、且つ１つの傾斜面を有する複数のリブを有するように形成される、請求項１記載のモジュールカード排出機構。
【請求項１４】
ハウジングの端部が個別のエンドキャップによってシールされる、請求項１記載のモジュールカード排出機構。
【請求項１５】
カードスロット及びヘッドエンドを備えたモジュールカードコネクタアセンブリであって、ヘッドエンドに、請求項１ないし１４のいずれか一項に記載のモジュールカード排出機構の一つ又はペアが設けられる、モジュールカードコネクタアセンブリ。
【発明の詳細な説明】
【発明の開示】
【０００１】
技術分野
本発明は、モジュールカード（例えばエクスプレスカード）スロット用のモジュールカード排出機構に関する。
【０００２】
背景技術
米国特許第５８７１３６５号に開示される通常のモジュールカード排出機構は、ハート形カム構造を備えるプッシュ−プッシュ機構を用いている。この構造は所望の効果を実現するが、やや複雑であり、比較的製造コストが高く、且つ大きな空間を占有する。
従って、簡単且つ製造が容易なモジュールカード排出機構を提供する必要がある。
【０００３】
発明の概要
本発明の好適な実施形態によれば、モジュールカード排出機構は排出プレート及びプッシュ−プッシュ式排出機構を備える。プッシュ−プッシュ式排出機構は：
（１）ガイド部を有する通路を含むハウジングであって、前記ガイド部が、環状方向に交互に構成されるプッシュアウト式係合部及びプッシュイン式係合部を有する構成のハウジング、
（２）案内フランジを含み、スライド式且つ回転不能にガイド部と係合可能なプッシングロッド、
（３）交互に構成されるプッシュアウト式係合部とプッシュイン式係合部とに、周期的且つ交互に係合するように構成される回転子、及び
（４）弾性により回転子を圧迫するバネ
を備える。
このモジュールカード排出機構は、回転子構成、案内フランジ、及びガイド部の相互作用を利用して、回転子を第１回転位置又は第２回転位置へと交互に回転させ、該位置に係合させることにより、前記プッシングロッドを駆動してカード取り出し位置又はカード挿入位置に移動させる。
【０００４】
本発明の更に別の特徴は、次の詳細な説明及び添付図面の描写によって一層深く理解することができる。
【実施例】
【０００５】
好適な実施形態の詳細な説明
図に示すように、本発明のモジュールカード排出機構１は、モジュールカードコネクタアセンブリＣに使用することができる。
モジュールカードＰをモジュールカードコネクタアセンブリＣのカードスロットＳに格納した後、モジュールカードＰをモジュールカードコネクタアセンブリＣのヘッドエンドＨに接続することができるか、又はモジュールカードＰを繰り返し押すことによりヘッドエンドから取り外すことができる。
【０００６】
図１ａ〜３ｂに示すように、モジュールカード排出機構１は、主に、排出プレート１０及びプッシュ−プッシュ式排出機構２０を備える。
排出プレート１０は、モジュールカードコネクタアセンブリＣのヘッドエンドＨに取り付けられ、モジュールカードコネクタアセンブリＣのカード移動方向に沿ってスライドすることができる。排出プレート１０は、挿入されるカード（例えばモジュールカード）の挿入操作及び取り出し操作と相互作用するカードコンタクト部１２と、プッシュ−プッシュ式排出機構に機械的に接続されるカード接続部１４とを含む。カードコンタクト部１２は接続部１４に接続される。
【０００７】
プッシュ−プッシュ式排出機構２０は、ハウジング３０、プッシングロッド４０、回転子５０、及びバネ６０を備える。プッシュ−プッシュ式排出機構２０の端部は個別エンドキャップ７０によってシールすることができる。
ハウジング３０は内壁３２を有し、この内壁は通路３４を画定し、通路は内壁３２を囲むガイド部３６を備える。ガイド部３６は、プッシュアウト式係合部及びプッシュイン式係合部を含み、これらの係合部は環状方向に沿って交互に構成され、回転子５０に接続される。ガイド部３６は、プッシュアウト式係合部とプッシュイン式係合部との間に環状に構成されたガイド手段を含むことが好ましく、このガイド手段は回転子５０を回転させてプッシュアウト式係合部又はプッシュイン式係合部と係合させる機能を有する。本発明の好適な実施形態によれば、前記プッシュアウト式係合部は、環状に設けられた複数の縦長スロット３６２の形態であることが好ましく、各縦長スロット３６２は停止壁３６３を有するように形成されることが好ましい。プッシュイン式係合部は、環状に設けられた複数のショートスロット３６４の形態であることが好ましく、各ショートスロット３６４は停止壁３６５を有するように形成されることが好ましい。ガイド手段は、環状方向に沿って構成される複数の案内羽根３６６の形態であることが好ましく、各案内羽根３６６は傾斜案内面３６７を有することが好ましい。各案内羽根３６６は縦長スロット３６２とショートスロット３６４との間に挟まれる。
【０００８】
プッシングロッド４０は自由端４２及び案内フランジ４４を有する。案内フランジ４４が、スライド式且つ回転不能にガイド部３６に接続できることにより、プッシングロッド４０は通路３４内を軸方向に沿って回転不能に移動することができる。本発明の好適な実施形態によれば、案内フランジ４４は、環状に配置された複数の凸状ガイドブロック４２２から形成されることが好ましく、これらのブロックは、ガイド部３６に形成された対応するガイドスロット（図示せず）に沿ってスライドすることができ、よってプッシングロッド４０は軸方向に沿って通路３４内を移動することができる。簡易型ガイド部３６の構造を実現するために、縦長スロット３６２及びショートスロット３６４の形態のガイドスロットが推奨される。案内フランジ４４は、環状に配置された略Ｖ字型の複数のガイド溝４６及び環状に配置された複数の溝頂部４８を備えるように形成される。これらのガイド溝４６と溝頂部４８は交互に配置されるので、各溝頂部４８が２つの隣接するガイド溝４６の間に挟まれる。ガイド溝４６及び溝頂部４８は、以下に詳細に記載するように、回転子５０を案内して回転させることができる。
回転子５０は、環状に配置される複数のリブ５２及び環状に配置される複数の傾斜面５４を備えることが好ましい。リブ５２の数は、ガイド部３６の縦長スロット３６２（プッシュアウト式係合部）、又はショートスロット３６４（プッシュイン式係合部）の数と同じであり、これらのリブ５２によって回転子５０は縦長スロット３６２又はショートスロット３６４と接続することができる。傾斜面５４は、案内羽根３６６のガイド面３６７上をスライドして回転子５０を案内してスライドさせながら同時に回転させる。傾斜面５４はリブ５２の端部に形成されることが好ましい。
【０００９】
図３ａ及び３ｂの好適な実施形態に示すように、モジュールカード排出機構１を組み立てる場合、ガイドブロック４２２を縦長スロット３６２及びショートスロット３６４に位置合わせし、次にプッシングロッド４０をハウジング３０の中に案内する。案内フランジ４４の溝頂部４８は縦長スロット３６２及びショートスロット３６４上に位置する（溝頂部４８の数は縦長スロット３６２の数とショートスロット３６４の数の合計である）。縦長スロット３６２上の停止壁３６３の位置はプッシングロッド４０の最終位置となり、この最終位置はカード取り出し位置として定義される（図４ａ参照）。更に、ハウジング３０には停止壁３６３の代わりに停止肩３８を設けてプッシングロッド４０の最終位置を定義することができる。停止肩３８は図３ｂに示すような遮蔽壁の形態とすることができる。別の構成として、停止肩３８を、先細り壁／絞り壁（図示せず）に形成することができ、それに対応して、プッシングロッド４０の自由端４２が先細り壁を通過するときに自由端の移動範囲が絞り内径によって制限されるように、プッシングロッド４０の自由端４２を、先細り壁に丁度収まり、先細り壁に接触して停止する形状に形成することができる。プッシングロッド４０を装着して位置決めをした後、回転子５０をハウジング３０内に配置し、リブ５２を縦長スロット３６２内にスライドさせ、傾斜面５４を縦長スロット３６２の溝頂部４８と結合させる。最後に、バネ６０を回転子５０の穴５６に挿入して回転子５０を弾性により加圧し、続いてエンドキャップ７０及び排出プレート１０を組み立ててモジュールカード排出機構１を構成する。
【００１０】
使用に先立ち、回転子５０のリブ５２を縦長スロット３６２（プッシュアウト式係合部）に入れ、第１回転位置に位置させる。使用の間、排出プレート１０のカードコンタクト部１２を加圧するとその力がプッシングロッド４０に伝えられるので、回転子５０を押すことができる。バネ６０を弾性により付勢することによって、回転子５０は、プッシングロッド４０の案内フランジ４４による案内、及びリブ５２の案内の下に縦長スロット３６２から離れる。リブ５２が縦長スロット３６２から離れると、最初は回転子５０上で溝頂部４８と結合していた傾斜面５４がそれに応じて略Ｖ字型の案内溝４６の中にスライドするので、回転子５０はわずかに順方向に回転し、傾斜面５４がガイド部３６の案内羽根３６６に対向する。この時点で押圧力を解放すると、バネ６０の弾性力によって傾斜面５４が後方に押し戻され、案内羽根３６６のガイド面３６７上をスライドして、最終的にショートスロット３６４（プッシュイン式係合部）と係合し、第２回転位置に固定される。従って、プッシングロッド４０は、この動きに応じてカード挿入位置に移動する（図４ｂ参照）。この時、回転子５０の傾斜面５４は、案内フランジ４４の溝頂部４８に位置合わせされている。
【００１１】
回転子５０が第２回転位置に固定されているとき、（モジュールカードＰをカードスロットＳのヘッドエンドＨから押し出すために）排出プレート１０に新たに押圧力を加えると、この力はプッシングロッド４０に伝えられるので、回転子５０を押すことができる。回転子５０の傾斜面５４は、溝頂部４８によって押され、排出される。傾斜面５４は、ショートスロット３６４から離れると、プッシングロッド４０上の略Ｖ字型の案内溝４６内にスライドし、回転子５０を順方向にわずかに回転させるので、傾斜面５４が別の案内羽根３６６に対向する。この時点で押圧力を解放すると、バネ６０の弾性力によって傾斜面５４が後方に押し戻され、別の案内羽根３６６上の別のガイド面３６７の上をスライドし、最終的に縦長スロット３６２内にスライドして再度第１回転位置に収まる。従って、プッシングロッド４０はこの動きに応じてカード取り出し位置（図４ａに示す）に押し戻され、弾性により排出プレート１０を後方に排出するので、モジュールカードをスロットから取り出すことができる。
このようにして、回転子５０は、回転子構造、案内フランジ、及びガイド部の相互作用を利用することにより、第１回転位置と第２回転位置とに交互に回転してこれらの位置に係合し、よって前記プッシングロッドを駆動してカード取り出し位置又はカード挿入位置に移動させる。
【００１２】
本発明はまた、モジュールカードコネクタアセンブリＣ上に組み立てられるモジュールカード排出機構１のペアを用いて更に大きな効果を生み出す。更に、図５ａ及び５ｂに示すように、モジュールカード排出機構１をダブル幅モジュールカードコネクタアセンブリ、又はシングル幅モジュールカードコネクタアセンブリに適用することができる。これらの変更及び他の同様の変更は全て、本発明の技術思想及び特徴に含まれる。従って、上述の実施形態は例示として捉えるべきであり、本発明を制限するものではない。全ての変更が、請求の範囲に記載される意味及び技術範囲と同等の効果を伴うか又は有する限り、これらの変更は全て、本発明の技術範囲に含まれる。
【図面の簡単な説明】
【００１３】
【図１】ａは、モジュールカードコネクタアセンブリＣに使用されるモジュールカード排出機構１の模式図であり、ｂはａを組み立てた状態を示す。
【図２】図１のヘッドエンドＨ、端子Ｔ、及び排出プレート１０の関係を示す模式図であり、排出プレート１０がヘッドエンドＨ内をスライド可能であることを示す。
【図３】ａはモジュールカード排出機構１の分解図であり、ｂはプッシュ−プッシュ式排出機構２０の部分断面図である。
【図４】ａは「カード取り出し位置」に位置するプッシングロッド４０の部分断面図であり、ｂは「カード挿入位置」に位置するプッシングロッド４０の部分断面図である。る。
【図５】ａ及びｂは、ダブル幅モジュールカードコネクタアセンブリ、及びシングル幅モジュールカードコネクタアセンブリに使用されるモジュールカード排出機構１の模式図である。
【図１ａ】
2007521626.tif 000003
【図１ｂ】
2007521626.tif 000004
【図２】
2007521626.tif 000005
【図３ａ】
2007521626.tif 000006
【図３ｂ】
2007521626.tif 000007
【図４ａ】
2007521626.tif 000008
【図４ｂ】
2007521626.tif 000009
【図５ａ】
2007521626.tif 000010
【図５ｂ】
2007521626.tif 000011
【国際調査報告】
2007521626.tif 000012
2007521626.tif 000013